(57)【要約】【課題】  比較的安価で、省スペース化でき、操作が簡単な被介護者の浮上装置を提供する。【解決手段】  上下に昇降可能なベッド２と、ベッド２に横たわる被介護者とベッド２の間に介在され、且つ被介護者の横方向に延びる帯状体３と、ベッド２の上方側に設けられ且つ帯状体３の両端部が取り付けられる支持部材５とを備え、ベッド２を下降させることにより、帯状体３にて支持した被介護者の身体の一部分をベッド２から浮上させることができる。【選択図】      図３
2006051075.tif 000002
【特許請求の範囲】
【請求項１】
上下に昇降可能なベッドと、前記ベッドに横たわる被介護者とベッドの間に介在され、且つ被介護者の横方向に延びる帯状体と、前記ベッドの上方側に設けられ且つ前記帯状体の両端部が取り付けられる支持部材と、を備えることを特徴とする被介護者の浮上装置。
【請求項２】
上下に昇降可能なベッドに横たわる被介護者とベッドの間に帯状体を介在させ、且つ前記帯状体の両端部を上方で支持し、前記ベッドを下降させることにより被介護者の一部をベッドから浮上させる被介護者の浮上装置に使用される支持部材であって、キャスターを備える基部と、前記基部から立ち上げられた支柱と、前記支柱から横方向に延設され且つ前記帯状体の両端部が取り付け可能な取付棒とを備えることを特徴とする被介護者浮上装置用の支持部材。
【発明の詳細な説明】
【技術分野】
【０００１】
本発明は、被介護者の身体の一部分を浮かし介護者の介助を行なう被介護者の浮上装置及び該装置に使用される支持部材に関する。
【背景技術】
【０００２】
従来、病人などの身体の不自由な人（以下、被介護者という）は、自身で排便や寝返りを打つことができない場合が多い。また、寝たきりの被介護者は、床ずれを起こす虞がある。従って、介護者は、被介護者の排便、就寝姿勢や寝床位置の変更などの各種介護を日々行わなければならない。しかしながら、これらの介護をする際、介護者は、被介護者を抱えて持ち上げたり或いは起こさなければならず、介護期間が長いと、介護者の心身的負担が大きくなり、場合によっては、介護者が腰などを痛めたり、困憊して病気になることもある。
【０００３】
そこで、介護者の心身的負担を軽減すべく、被介護者を吊り上げて移動させることができる各種の吊り装置が提案されている。例えば、特開２００１−２３１８２３には、被介護者を乗せるブランコ型の帯席をロープで吊り、ベッドに設けた駆動モーターにより帯席と共に被介護者を吊り上げて車椅子などに移動させることができる被介護者の吊り移動装置が提案されている。
しかしながら、従来の被介護者用の吊り装置は、非常に高額であり、介護者にとって経済的負担が大きいという問題点がある。また、この種の吊り装置は使用時間に比して不使用時間の方が長い反面、装置全体は、操作スペースを含め平面的及び立体的に比較的大きなスペースを必要とする。従って、狭い部屋では実際上使用できないという問題点があった。
【０００４】
【特許文献１】特開２００１−２３１８２３
【発明の開示】
【発明が解決しようとする課題】
【０００５】
本発明は、上記の点に鑑み、比較的安価で、設置スペースが小さく且つ操作が簡単な被介護者の浮上装置及びそれに使用される支持部材を提供することを課題とするものである。
【課題を解決するための手段】
【０００６】
本発明者らは、上記問題点について研究したところ、従来の吊り装置は、被介護者全体を吊り上げることを目的としているので、使用する各構成部材は、被介護者の全体重に対する耐荷重性を備える部材を使用しなければならず、且つそれを吊り上げるモーターも高性能のものを使用しなければならないから、必然的に高額化し、又装置の大型化を招く結果となる。他方、実際の介護現場に於いては、おむつ交換などの排便介護、寝返り介護、床ずれ防止介護などの各介護は頻繁に行う必要があるが、これら頻繁に行う介護作業は、必ずしも被介護者全体を持ち上げなくても行える。このような点に着目し本発明を完成させた。
【０００７】
すなわち、本発明は、上下に昇降可能なベッドと、ベッドに横たわる被介護者とベッドの間に介在され、且つ被介護者の横方向に延びる帯状体と、ベッドの上方側に設けられ且つ帯状体の両端部が取り付けられる支持部材とを備える被介護者の浮上装置を提供する。
【０００８】
上記被介護者の浮上装置は、帯状体を被介護者の下方に介在させ且つ帯状体の両端部を支持部材に取付けてベッドを下降させると、帯状体及び支持部材によって吊り下げられた被介護者は下降せず、ベッドだけが相対的に下方へ移動する。これにより被介護者の身体の一部のみを簡単に浮かせることができる。従って、かかる浮上装置を用いて、例えば被介護者の腰部を浮かせることにより、介護者は、被介護者の排便介護を行うことができ、又、身体の一部が吊り上げられているので、被介護者の寝床位置の変更なども容易に行うことができる。
本発明の浮上装置は、被介護者の身体の一部を浮上させるため、帯状体を吊り下げる支持部材をベッドの上方に設けるという簡易構成で足りる。さらに、かかる帯状体や支持部材は、被介護者の全体重を支持できるほどの耐荷重性を有しないものを用いることもできる。よって、比較的簡易な構造で、且つ安価な介助装置を提供できる。
【０００９】
さらに、第２の手段として、本発明は、上下に昇降可能なベッドに横たわる被介護者とベッドの間に帯状体を介在させ、且つ帯状体の両端部を上方で支持し、ベッドを下降させることにより被介護者の一部をベッドから浮上させる被介護者の浮上装置に使用される支持部材であって、キャスターを備える基部と、基部から立ち上げられた支柱と、支柱から横方向に延設され且つ帯状体の両端部が取り付け可能な取付棒とを備える被介護者浮上装置用の支持部材を提供する。
【発明の効果】
【００１０】
本発明の浮上装置は、被介護者の身体の一部のみを浮かせることができるので、例えば該装置を用いて被介護者の腰部を浮かせることにより、介護者は、被介護者の排便介護、寝返り介護、寝床位置の変更、シーツ交換などを労力を要せずに行うことができる。また、被介護者の身体の一部を浮上させるものであるため、被介護者全体を吊り下げる従来の装置に比して、比較的簡易な構造にでき、設置スペースを取らず、安価な装置を提供できる。
【発明を実施するための最良の形態】
【００１１】
以下、本発明を図面を参照しつつ説明する。
図１に於いて、１は、上下に昇降可能なベッド２と、被介護者の横方向に架け渡される帯状体３と、該帯状体３の端部を取り付け且つ帯状体３を吊り下げる支持部材５と、を備える被介護者用の浮上装置を示す。
ベッド２は、被介護者が横たわる横臥面２ａが上下に昇降できるようになっており、その昇降は、電気などを駆動源とする自動昇降又は人力で昇降させる手動昇降の何れでもよい。自動又は手動式の何れも、昇降機構（図示せず）は、横臥面２ａの下方に設けられ、ベッド２と一体化されている。尚、この種の上下昇降可能なベッド２は、公知であって一般家庭や病院にも普及しており、本発明はこれら既存の昇降ベッドを用いることもできる。
【００１２】
帯状体３は、ポリエチレン等の合成樹脂製繊維糸、天然繊維糸などの各種の糸を帯状に編んだものの他、比較的厚肉の合成樹脂シート、皮革などを用いることができる。帯状体３は、長手方向に幅が均等な形態のものでも良いが、圧力を分散させて被介護者の身体に食い込み難くすることから、例えば、図示したように、被介護者に接する中央部が幅広に形成されているものが好ましい。
また、帯状体３は、被介護者の腰部などに直に接するように当てて使用する場合もあるため、このような使用態様を考慮すると、吸水性及び通気性に優れ、比較的柔軟な素材からなる帯状体３が好ましい。このような帯状体３としては、綿などの天然素材からなるタオル地などが例示される。
この帯状体３の両端部には、リングが設けられ、フックなどの掛止具３ａを介して支持部材５に取り付けられている。尚、支持部材５に帯状体３を簡易に着脱できることから、フック３ａを用いることが好ましいが、例えば、帯状体３の両端部のリングを支持部材５に挿入脱可能に形成して該リングを支持部材５に嵌挿したり、或いは、支持部材５に帯状体３の端部を巻き掛け、バックルなどの留め具で帯状体３を止めるようにするなどの方法を用いることもできる。
また、特に図示しないが、帯状体３の長さを調整できるようにしてもよい。
【００１３】
支持部材５は、床面などに設置される基部６と、基部６から立ち上げられた支柱７と、支柱７の上端部から横方向に延設されてベッド２の上方側に設けられ且つ帯状体３の両端部が取り付け可能な取付棒８と、を備え、取付棒８の一端が支柱７に連結された片持ち構造である。
基部６は、ベッド２と床面の間に挿入脱可能な矩形状の板状体６１と、この板状の四隅に設けられた全方向に回転可能な自在キャスター６２とを備えている。
支柱７は、基部６の一端部から上方に立ち上げられており、少なくとも上端部が筒状に形成されている。
取付棒８は、略Ｌ字の棒状体からなり、その一端部が支柱７の上端部に嵌入され、且つコーナー部から他端部に至る部分が横方向（水平方向）に延設されている。取付棒８には、掛止具３ａが位置ずれして脱落することを防止するためのストッパー部８１が設けられている。
さらに、支柱７には、取付棒８の位置を固定する固定具７１（例えば、取付棒８に形成された孔部に嵌合するピンや取付棒８に螺合されるボルトなど）が設けられている。かかる固定具７１を外すことにより、取付棒８は、図２（ａ）に示すように上下に伸縮させることができ、又、支柱７を中心に回転させることができる。従って、ベッド２の高さに合わせて取付棒８を適宜高さに調節できる。また、不使用時には取付棒８を回転させることにより、ベッド２の長手方向に平行にして収納することができる。また、キャスター６２によって移動できるので、帯状体３を被介護者の腰部や脚部などに当てるにも、それに応じて支持部材５を適宜位置に設置することができる。
【００１４】
上記構成からなる浮上装置１は、図３に示すように、帯状体３の中央部が被介護者の身体の一部（例えば腰部）に下側から支えるように、帯状体３をベッド２と被介護者の間に横方向に介在させ、その両端部を支持部材５の取付棒８に取り付ける。この際、帯状体３を、被介護者が着ている衣服の外側から当ててもよいし、又、帯状体３を被介護者の身体の一部に直に接するように当ててもよい。特に、帯状体３にて腰部を浮上させる場合には、被介護者の腰部に帯状体３が直に接するように当てることが好ましい。
この状態で、ベッド２の横臥面２ａを下降させると、図４に示すように、帯状体３及び支持部材５によって吊り下げられた被介護者は、ベッド２の下降に伴って下がらず、よって、被介護者の腰部のみを浮かせることができる。このように被介護者の腰部がベッド２から相対的に浮き上がると、介護者は、その空間からおむつの交換などの排便介護を行うことができる。尚、上記のように帯状体３が被介護者の腰部に直接当てられていると、衣服が帯状体３と被介護者の間で挟まれないので、排便介護などをする際に該衣服が邪魔にならないという利点がある。
さらに、身体の略中心部分である腰部が浮き上がった状態なので、介護者は、例えば、被介護者を横から押すことにより、寝床の位置を移動させることができ、寝返り介護、寝床位置の変更、シーツ交換などを労力を要せずに行うことができる。また、必要に応じて、被介護者の腰部をベッド２から浮かせた状態で長時間放置しておくことにより、床ずれ防止効果が期待できる。尚、被介護者の腰部を浮き上がらせるだけでなく、帯状体３の装着位置を変更することにより、例えば、被介護者の脚部などを上げることもできる。
【００１５】
このように本発明の介護補助方法によれば、帯状体３と支持部材５によって被介護者を支持し、且つベッド２を相対的に下降させるだけで、被介護者の身体の一部を浮上させることができるので、頻繁に行わなければならない排便介護などを簡易に行うことができ、又、装置の取り扱いも簡便である。
さらに、支持部材５は、被介護者の身体の一部を支持できれば足りるので、被介護者の全体重を支持できる耐荷重性まで必要としない。従って、支持部材５は、少なくとも被介護者の体重の半分程度の耐荷重性を有していればよく、比較的簡易な構造のものを用いることもできる。また、被介護者の身体の一部が浮上する程度（例えば、１０〜２０ｃｍ程度）にベッド２は下降すればよいので、例えば一般家庭や病院などで普及しているベッド２をそのまま利用することができる。尚、浮上装置１を使用しない時には、帯状体３を被介護者とベッド２の間に介在させた状態のままで帯状体３を支持部材５の取付棒８から外しておき、使用時には、帯状体３を取付棒８に取り付けて吊り下げればよい。
【００１６】
次に、本発明の各種変形例を示す。
図５は、両持ち構造の支持部材５を備える浮上装置１を示す。この支持部材５は、キャスター６２の設けられた左右一対の基部６と、この基部６から立ち上げられた左右一対の支柱７と、この左右一対の間に架け渡された取付棒８とを備えている。かかる支持部材５は、ベッド２に跨るように設置され、不使用時には、キャスター６２により移動させることができる。
図６は、ベッド２に固定された支持部材５を備える浮上装置１を示す。この支持部材５は、ベッド２に固定された支柱７と、この支柱に回転可能及び上下移動可能に設けられた取付棒８とを備えている。尚、この支柱７は、ベッド２の昇降と無関係（昇降しない固定側）なベッドフレーム２１などに固定されている。
その他、キャスター６２を設けず、基部６を床面に直接接地させる支持部材５でもよく、又、取付棒８が支柱７に着脱可能に設けられている支持部材５を用いることも可能である。さらに、特に図示しないが、支持部材５にテーブルを具備させてもよい。例えば、略Ｕ字状の抱着部材を用いてテーブル板を取付棒８に着脱可能に取り付けてなる支持部材５や、丁番などを介してテーブル板を出退可能に取付け、食事などの際に、テーブル板を取付棒８の上部に載置可能に構成してなる支持部材５などが例示される。
【図面の簡単な説明】
【００１７】
【図１】本発明の浮上装置の一実施形態を示す斜視図。
【図２】（ａ）は、同装置の取付棒を上方に伸ばした状態を示す正面図、（ｂ）は、同装置の取付棒を支柱軸回りに回転させた状態を示す側面図。
【図３】（ａ）は、同装置の使用状態を示す正面図、（ｂ）は、同側面図。
【図４】ベッドを下降させた同装置の使用状態を示す側面図。
【図５】（ａ）は、浮上装置の他の実施形態を示す正面図、（ｂ）は、同側面図。
【図６】浮上装置の他の実施形態を示す斜視図。
【符号の説明】
【００１８】
１…浮上装置、２…ベッド、２ａ…横臥面、３…帯状体、３ａ…掛止具、５…支持部材、６…基部、６１…板状体、６２…キャスター、７…支柱、７１…固定具、８…取付棒、８１…ストッパー部
【図１】
2006051075.tif 000003
【図２】
2006051075.tif 000004
【図３】
2006051075.tif 000005
【図４】
2006051075.tif 000006
【図５】
2006051075.tif 000007
【図６】
2006051075.tif 000008